(57)【要約】【課題】快適な動画の視聴及び操作性を実現する。【解決手段】端末装置は、再生された動画を表示する表示部と、表示部の表示領域を覆うように設けられ、表示領域に対する操作を受け付ける入力部と、表示領域内に表示される動画の再生領域を分割した一方の第１領域内の第１の位置への操作を入力部が受け付けたことに応じて、動画の再生に関する第１の機能を制御し、他方の第２領域内の第２の位置への操作を入力部が受け付けたことに応じて、動画の再生に関する第２の機能を制御する再生制御部と、を備える。【選択図】図２
2015220608.tif 000002
【特許請求の範囲】
【請求項１】
再生された動画を表示する表示部と、
前記表示部の表示領域を覆うように設けられ、前記表示領域に対する操作を受け付ける入力部と、
前記表示領域内に表示される前記動画の再生領域を分割した一方の第１領域内の第１の位置への操作を前記入力部が受け付けたことに応じて、前記動画の再生に関する第１の機能を制御し、他方の第２領域内の第２の位置への操作を前記入力部が受け付けたことに応じて、前記動画の再生に関する第２の機能を制御する再生制御部と、
を備えることを特徴とする端末装置。
【請求項２】
前記再生制御部は、
前記第１の位置の前記第１領域内における位置及び前記第２の位置の前記第２領域内における位置のそれぞれに応じて、前記第１の機能及び前記第２の機能のそれぞれの適用度を制御する、
ことを特徴とする請求項１に記載の端末装置。
【請求項３】
前記再生制御部は、
前記第１の位置が前記再生領域の前記分割した位置から遠いほど、前記第１の機能の適用度を高めるように制御し、前記第１の位置が前記再生領域の前記分割した位置に近いほど、前記第１の機能の適用度を低めるように制御する、
ことを特徴とする請求項２に記載の端末装置。
【請求項４】
前記再生制御部は、
前記第２の位置が前記再生領域の前記分割した位置から遠いほど、前記第２の機能の適用度を高めるように制御し、前記第２の位置が前記再生領域の前記分割した位置に近いほど、前記第２の機能の適用度を低めるように制御する、
ことを特徴とする請求項２または３に記載の端末装置。
【請求項５】
前記第１の領域は、前記動画の前記再生領域を分割した右側の領域であり、
前記第２の領域は、前記動画の前記再生領域を分割した左側の領域である、
ことを特徴とする請求項１から４の何れか一項に記載の端末装置。
【請求項６】
前記第１の機能は、前記動画の早送り再生の機能であり、
前記第２の機能は、前記動画の巻戻し再生の機能である、
ことを特徴とする請求項５に記載の端末装置。
【請求項７】
前記再生制御部は、
前記第１の位置が前記再生領域の右側端部に近いほど、前記早送り再生の速度を速くするように制御し、
前記第１の位置が前記再生領域の右側端部から遠いほど、前記早送り再生の速度を遅くするように制御し、
前記第２の位置が前記再生領域の左側端部に近いほど、前記巻戻し再生の速度を速くするように制御し、
前記第２の位置が前記再生領域の左側端部から遠いほど、前記巻戻し再生の速度を遅くするように制御する、
ことを特徴とする請求項６に記載の端末装置。
【請求項８】
前記第１の領域は、前記動画の前記再生領域を分割した上側の領域であり、
前記第２の領域は、前記動画の前記再生領域を分割した下側の領域である、
ことを特徴とする請求項１から４の何れか一項に記載の端末装置。
【請求項９】
前記表示部は、
前記入力部が前記第１の位置及び前記第２の位置への操作を受け付ける際に、当該操作に関する情報を前記再生領域内に表示しない、
ことを特徴とする請求項１から８の何れか一項に記載の端末装置。
【請求項１０】
前記動画の再生領域を分割した一方の前記第１領域と他方の前記第２領域とが第３領域を介して分割されており、
前記再生制御部は、
前記第３領域内の第３の位置への操作を前記入力部が受け付けたことに応じて、前記動画の再生に関する第３の機能を制御する、
ことを特徴とする請求項１から４の何れか一項に記載の端末装置。
【請求項１１】
再生された動画を表示する表示部と、前記表示部の表示領域を覆うように設けられ、前記表示領域に対する操作を受け付ける入力部と、を備えた端末装置の制御方法であって、
前記表示領域内に表示される前記動画の再生領域を分割した一方の第１領域内の第１の位置への操作を前記入力部が受け付けたことに応じて、前記動画の再生に関する第１の機能を制御し、他方の第２領域内の第２の位置への操作を前記入力部が受け付けたことに応じて、前記動画の再生に関する第２の機能を制御する、
ことを特徴とする制御方法。
【請求項１２】
再生された動画を表示する表示部と、前記表示部の表示領域を覆うように設けられ、前記表示領域に対する操作を受け付ける入力部と、を備えた端末装置のコンピュータに、
前記表示領域内に表示される前記動画の再生領域を分割した一方の第１領域内の第１の位置への操作を前記入力部が受け付けたことに応じて、前記動画の再生に関する第１の機能を制御するステップと、
他方の第２領域内の第２の位置への操作を前記入力部が受け付けたことに応じて、前記動画の再生に関する第２の機能を制御するステップと、
を実行させるためのプログラム。
【発明の詳細な説明】
【技術分野】
【０００１】
本発明は、端末装置、制御方法、およびプログラムに関する。
【背景技術】
【０００２】
表示部と、表示部の表示領域に対する操作を受け付ける入力部とが一体に構成されたタッチパネル式のディスプレイがある（例えば、特許文献１参照）。このタッチパネル式のディスプレイで動画を視聴する場合、シークボタン、早送りボタン及び巻戻しボタン、等の操作ボタンが動画に重ねて表示される、又は動画の再生領域の外側に表示されることが一般的である。
【先行技術文献】
【特許文献】
【０００３】
【特許文献１】特許第３７２９４１７号公報
【発明の概要】
【発明が解決しようとする課題】
【０００４】
しかしながら、操作ボタンが動画に重ねて表示される場合には、操作ボタンが表示される部分の動画が見難くなる。また、操作ボタンが動画の再生領域の外側に表示される場合には、動画の再生領域が表示部の表示領域よりも縮小されることになる。このように、表示部の表示領域内において、動画の再生領域と操作領域とは互いに排他的な関係となるため、動画の再生領域の確保と操作性との両立が困難であった。
【０００５】
本発明は、このような事情に鑑みてなされたもので、快適な動画の視聴及び操作性を実現する端末装置、制御方法、およびプログラムを提供することを目的の一つとする。
【課題を解決するための手段】
【０００６】
上記課題を解決するために、本発明の一態様は、再生された動画を表示する表示部と、前記表示部の表示領域を覆うように設けられ、前記表示領域に対する操作を受け付ける入力部と、前記表示領域内に表示される前記動画の再生領域を分割した一方の第１領域内の第１の位置への操作を前記入力部が受け付けたことに応じて、前記動画の再生に関する第１の機能を制御し、他方の第２領域内の第２の位置への操作を前記入力部が受け付けたことに応じて、前記動画の再生に関する第２の機能を制御する再生制御部と、を備えることを特徴とする端末装置。
【０００７】
また、本発明の一態様は、上記端末装置において、前記再生制御部が、前記第１の位置の前記第１領域内における位置及び前記第２の位置の前記第２領域内における位置のそれぞれに応じて、前記第１の機能及び前記第２の機能のそれぞれの適用度を制御する、ことを特徴とする。
【０００８】
また、本発明の一態様は、上記端末装置において、前記再生制御部が、前記第１の位置が前記再生領域の前記分割した位置から遠いほど、前記第１の機能の適用度を高めるように制御し、前記第１の位置が前記再生領域の前記分割した位置に近いほど、前記第１の機能の適用度を低めるように制御する、ことを特徴とする。
【０００９】
また、本発明の一態様は、上記端末装置において、前記再生制御部が、前記第２の位置が前記再生領域の前記分割した位置から遠いほど、前記第２の機能の適用度を高めるように制御し、前記第２の位置が前記再生領域の前記分割した位置に近いほど、前記第２の機能の適用度を低めるように制御する、ことを特徴とする。
【００１０】
また、本発明の一態様は、上記端末装置において、前記第１の領域が、前記動画の前記再生領域を分割した右側の領域であり、前記第２の領域は、前記動画の前記再生領域を分割した左側の領域である、ことを特徴とする。
【００１１】
また、本発明の一態様は、上記端末装置において、前記第１の機能が、前記動画の早送り再生の機能であり、前記第２の機能は、前記動画の巻戻し再生の機能である、ことを特徴とする請求項５に記載の端末装置。
【００１２】
また、本発明の一態様は、上記端末装置において、前記再生制御部が、前記第１の位置が前記再生領域の右側端部に近いほど、前記早送り再生の速度を速くするように制御し、前記第１の位置が前記再生領域の右側端部から遠いほど、前記早送り再生の速度を遅くするように制御し、前記第２の位置が前記再生領域の左側端部に近いほど、前記巻戻し再生の速度を速くするように制御し、前記第２の位置が前記再生領域の左側端部から遠いほど、前記巻戻し再生の速度を遅くするように制御する、ことを特徴とする。
【００１３】
また、本発明の一態様は、上記端末装置において、前記第１の領域が、前記動画の前記再生領域を分割した上側の領域であり、前記第２の領域が、前記動画の前記再生領域を分割した下側の領域である、ことを特徴とする。
【００１４】
また、本発明の一態様は、上記端末装置において、前記表示部が、前記入力部が前記第１の位置及び前記第２の位置への操作を受け付ける際に、当該操作に関する情報を前記再生領域内に表示しない、ことを特徴とする。
【００１５】
また、本発明の一態様は、上記端末装置において、前記動画の再生領域を分割した一方の前記第１領域と他方の前記第２領域とが第３領域を介して分割されており、前記再生制御部が、前記第３領域内の第３の位置への操作を前記入力部が受け付けたことに応じて、前記動画の再生に関する第３の機能を制御する、ことを特徴とする。
【００１６】
また、本発明の一態様は、再生された動画を表示する表示部と、前記表示部の表示領域を覆うように設けられ、前記表示領域に対する操作を受け付ける入力部と、を備えた端末装置の制御方法であって、前記表示領域内に表示される前記動画の再生領域を分割した一方の第１領域内の第１の位置への操作を前記入力部が受け付けたことに応じて、前記動画の再生に関する第１の機能を制御し、他方の第２領域内の第２の位置への操作を前記入力部が受け付けたことに応じて、前記動画の再生に関する第２の機能を制御する、ことを特徴とする制御方法である。
【００１７】
また、本発明の一態様は、再生された動画を表示する表示部と、前記表示部の表示領域を覆うように設けられ、前記表示領域に対する操作を受け付ける入力部と、を備えた端末装置のコンピュータに、前記表示領域内に表示される前記動画の再生領域を分割した一方の第１領域内の第１の位置への操作を前記入力部が受け付けたことに応じて、前記動画の再生に関する第１の機能を制御するステップと、他方の第２領域内の第２の位置への操作を前記入力部が受け付けたことに応じて、前記動画の再生に関する第２の機能を制御するステップと、を実行させるためのプログラムである。
【発明の効果】
【００１８】
本発明によれば、快適な動画の視聴及び操作性を実現することができる。
【図面の簡単な説明】
【００１９】
【図１】第１の実施形態による動画配信システムの構成を示す概略ブロック図である。
【図２】第１の実施形態による端末装置の構成の一例を示す概略ブロック図である。
【図３】第１の実施形態による早送り及び巻戻しの操作例を説明する説明図である。
【図４】第１の実施形態による動画の再生処理の一例を示すフローチャートである。
【図５】第２の実施形態による早送り及び巻戻しの操作例を説明する説明図である。
【図６】第２の実施形態による早送り及び巻戻しの操作の具体例を示す図である。
【図７】第３の実施形態による操作の一例を説明する説明図である。
【図８】第４の実施形態による操作の一例を説明する説明図である。
【図９】従来の操作画面の一例を示す図である。
【発明を実施するための形態】
【００２０】
以下、図面を参照して、本発明の実施の形態について説明する。
＜第１の実施形態＞
図１は、この発明の第１の実施形態による動画配信システム１の構成の一例を示す概略ブロック図である。動画配信システム１は、動画配信サーバ１００と、複数の端末装置２００とを備え、これらはネットワーク５を介して接続されている。このネットワーク５は、インターネット網や公衆回線網等であり、いずれか一方を用いて接続される場合も、両方が組み合わされて接続される場合もある。
【００２１】
この図において、動画配信サーバ１００は、端末装置２００からの配信要求に応じて、動画を要求元の端末装置２００へ配信する。この配信は、例えば、ストリーミング配信によって行われる。端末装置２００は、ネットワーク５を介して動画配信サーバ１００に接続し、動画配信サーバ１００から配信される動画データを受信する。そして、端末装置２００は、受信した動画データを再生して表示する。例えば、端末装置２００は、インターネット等の通信回線を介して各種サーバ等と通信可能な機能を有する端末装置であり、コンピュータ（ＰＣ）、モバイル端末（携帯電話、スマートフォン、情報端末装置等）、ゲーム機等を適用することができる。
【００２２】
次に、図２を参照して、端末装置２００の構成について説明する。
図２は、本実施形態による端末装置２００の構成の一例を示す概略ブロック図である。
端末装置２００は、タッチパネル２１０と、通信部２２０と、記憶部２３０と、制御部２４０と、を備えている。                     
【００２３】
タッチパネル２１０は、表示部２１１と、入力部２１２とを備えている。表示部２１１は、画像や文字等の情報を表示する液晶ディスプレイや有機ＥＬ（Electro-Luminescence）ディスプレイ等を備えている。入力部２１２は、表示部２１１の表示画面に重ねて設けられており、表示部２１１の表示画面上における接触を検知することにより、ユーザからの操作入力を受け付ける。例えば、入力部２１２は、静電容量の変化、圧力の変化、電気抵抗の変化などを利用して接触を検出するタッチセンサを備えている。
通信部２２０は、外部機器とネットワーク５を介して通信する。例えば、通信部２２０は、動画配信サーバ１００とネットワーク５を介して接続し、動画配信サーバ１００とデータの送受信を行う。
【００２４】
記憶部２３０は、動画データなどの各種データを記憶する。例えば、記憶部２３０は、制御情報記憶部２３１と、データ記憶部２３２と、を備えている。
制御情報記憶部２３１は、入力部２１２が受け付ける操作入力に対する動画の制御内容を示す制御情報を記憶している。例えば、制御情報には、入力部２１２における操作位置、例えば、表示部２１１に表示される動画の再生領域内における操作位置を示す操作位置情報と、当該操作位置に応じて制御される動画の再生に関する機能とが関連付けられて記憶されている。
【００２５】
ここで、動画の再生に関する機能とは、動画を再生する再生機能、動画を早送りする早送り再生機能、動画を巻戻しする巻戻し再生機能、動画の再生を停止する停止機能、動画の再生を一時停止する一時停止機能、動画再生時の音を出力する音出力機能等である。つまり、入力部２１２に対してユーザがタッチ操作した場合に、この制御情報を参照することにより、動画の再生領域内におけるタッチした操作位置に応じて制御される動画の再生に関する機能を特定することができる。
データ記憶部２３２は、動画配信サーバ１００から配信されて端末装置２００が取得した動画データを記憶する。
【００２６】
制御部２４０は、入力情報取得部２４１と、再生制御部２４２と、データ取得部２４３と、表示制御部２４４と、を備えている。
入力情報取得部２４１は、入力部２１２が受け付けた操作入力を示す入力情報を取得する。例えば、入力情報取得部２４１は、取得した入力情報と表示部２１１に表示されている動画の再生領域とに基づいて、表示部２１１に表示される動画の再生領域内における操作位置を示す操作位置情報を生成して、再生制御部２４２に供給する。
【００２７】
再生制御部２４２は、データ記憶部２３２に記憶されている動画データを読み出して再生する。また、再生制御部２４２は、再生した動画データを表示制御部２４４を介して表示部２１１に表示させる。
【００２８】
具体的には、再生制御部２４２は、入力情報取得部２４１から操作位置情報が供給されると、制御情報記憶部２３１に記憶されている制御情報を参照して、操作位置に応じて動画の再生、早送り再生、巻戻し再生、再生の停止、再生の一時停止、等を制御する。例えば、再生制御部２４２は、操作位置が動画の再生を指示する位置である場合、動画配信サーバ１００から取得済みの動画データをデータ記憶部２３２から読み出して再生する。以下の説明において、この動画の再生（即ち、標準の速度での再生）を、早送り再生及び巻戻し再生と区別する場合「通常再生」とも称する。
【００２９】
また、再生制御部２４２は、操作位置が動画の早送りを指示する位置である場合、データ記憶部２３２から読み出した動画データを早送り再生する。一方、再生制御部２４２は、操作位置が動画の巻戻しを指示する位置である場合、データ記憶部２３２から読み出した動画データを巻戻し再生する。
【００３０】
なお、再生制御部２４２は、動画データを再生する場合、動画データに含まれる動画の音（音声）の再生出力も制御する。例えば、再生制御部２４２は、動画データを再生して表示制御部２４４を介して表示部２１１に表示させる際に、動画データに含まれる音の出力を制御して、不図示の音出力部（例えば、スピーカ、又はイヤホン端子等の外部出力端子）から出力させる。
【００３１】
データ取得部２４３は、通信部２２０を介して、動画配信サーバ１００から配信された動画データを取得する。また、データ取得部２４３は、取得した動画データをデータ記憶部２３２に記憶させる。表示制御部２４４は、再生制御部２４２が再生、早送り再生、又は巻戻し再生した動画データを表示部２１１に表示させる。
【００３２】
（操作例）
次に、本実施形態による早送り及び巻戻しの操作の一例を説明する。従来、タッチパネルで視聴する動画を早送り又は巻戻しする場合には、例えば、動画の再生領域内に表示されるシークバー、又は早送り／巻戻しボタン等に対する操作を行うことが一般的であった（操作情報が動画に重ねて表示される従来の操作画面の一例として図９参照）。これに対し、本実施形態では、操作に関する情報を表示せずに、早送り及び巻戻しの操作を行えるようにした。
【００３３】
図３は、本実施形態による早送り及び巻戻しの操作の一例を説明する説明図である。
この図に示す例は、タッチパネル２１０の動画再生中における早送り及び巻戻しの操作の一例であって、表示部２１１には動画の再生画面が表示されており、操作に関する情報は表示されていない。
【００３４】
以下、表示部２１１の表示領域内に表示される動画の再生領域３００を左右に２つに分割した右側（再生される動画の上下左右方向における右側）を右側領域３００ａと称し、左側を左側領域３００ｂと称して説明する。また、再生領域３００を２つに分割した位置、即ち右側領域３００ａと左側領域３００ｂとの境界を境界３００ｃと称して説明する。
【００３５】
タッチパネル２１０において、入力部２１２は、右側領域３００ａが早送り操作を受け付けるＵＩ（User Interface）として機能し（早送りＵＩ）、左側領域３００ｂが巻戻し操作を受け付けるＵＩとして機能する（巻戻しＵＩ）。
再生制御部２４２は、右側領域３００ａ内のいずれかの位置へのタッチ操作を入力部２１２が受け付けたことに応じて、動画データを早送り再生する。一方、再生制御部２４２は、左側領域３００ｂ内のいずれかの位置へのタッチ操作を入力部２１２が受け付けたことに応じて、動画データを巻戻し再生する。なお、再生制御部２４２は、右側領域３００ａ内または左側領域３００ｂ内へのタッチ操作により早送り再生又は巻戻し再生している状態から、右側領域３００ａ及び左側領域３００ｂ内へのタッチ操作を受け付けなくなった場合（ユーザがタッチをやめた場合）には、早送り再生又は巻戻し再生を終了して通常再生に戻す。
【００３６】
また、再生制御部２４２は、右側領域３００ａ内へのタッチ操作により早送り再生している状態から、左側領域３００ｂ内へのタッチ操作に変わった場合（ユーザがタッチしたままなぞることにより、右側領域３００ａから境界３００ｃを超えて左側領域３００ｂにタッチしている操作位置が移動した場合）、早送り再生を終了して巻戻し再生にする。一方、再生制御部２４２は、左側領域３００ｂ内へのタッチ操作により巻戻し再生している状態から、右側領域３００ａ内へのタッチ操作に変わった場合（タッチしたままなぞることにより、左側領域３００ｂから境界３００ｃを超えて右側領域３００ａにタッチしている操作位置が移動した場合）、巻戻し再生を終了して早送り再生にする。つまり、右側領域３００ａ内へのタッチ操作が継続している間は早送り再生が行われ、左側領域３００ｂ内へのタッチ操作が継続している間は巻戻し再生が行われ、右側領域３００ａ及び左側領域３００ｂへのタッチ操作がない場合には通常再生が行われる。
【００３７】
このように、本実施形態では、タッチパネル２１０において、操作に関する情報が表示されずに、動画の再生領域３００内の右半分の右側領域３００ａが、早送り操作を受け付ける早送りＵＩとして機能し、再生領域３００内の左半分の左側領域３００ｂが巻戻し操作を受け付ける巻戻しＵＩとして機能する。
これにより、本実施形態による端末装置２００は、ユーザの動画の視聴を妨げることなく、直観的な操作による動画の早送り及び巻戻しを可能とすることができる。
【００３８】
（動作例）
次に、図４を参照して、本実施形態による動画の再生処理の動作を説明する。
図４は、本実施形態による動画の再生処理の一例を示すフローチャートである。
まず、再生制御部２４２は、ユーザにより動画を再生する操作がされると、データ記憶部２３２から動画データを読み出して再生する（ステップＳ１１０）。ここで、動画を再生する操作は、例えば、再生停止中の動画の再生領域３００内へのタップ操作（1回タッチして離す操作）である。
【００３９】
次に、再生制御部２４２は、再生している動画データが最終フレームに到達したか否かを判定する（ステップＳ１２０）。ここで、再生している場合の最終フレームとは動画データの最後のフレームのことである。再生制御部２４２は、再生している動画データが最終フレームに到達したと判定した場合（ステップＳ１２０：Ｙｅｓ）、動画再生を終了する。なお、再生制御部２４２は、動画を停止する操作がされることにより、動画再生を終了してもよい。ここで、動画を停止する操作は、例えば、動画の再生中における再生領域３００内へのタップ操作等である。
【００４０】
続いて、入力情報取得部２４１は、入力部２１２から取得する入力情報に基づいて、タッチパネル２１０に対するタッチ操作があるか否かを判定する（ステップＳ１３０）。入力情報取得部２４１がタッチパネル２１０に対するタッチ操作がないと判定した場合（ステップＳ１３０：Ｎｏ）、再生制御部２４２は、ステップＳ１１０に処理を戻し、動画の再生を継続する。
【００４１】
一方、入力情報取得部２４１は、タッチパネル２１０に対するタッチ操作があると判定した場合（ステップＳ１３０：Ｙｅｓ）、取得した入力情報と表示部２１１に表示されている動画の再生領域とに基づいて、表示部２１１に表示される動画の再生領域内における操作位置を示す操作位置情報を生成して再生制御部２４２に供給する。そして、再生制御部２４２は、入力情報取得部２４１から操作位置情報を取得する（ステップＳ１４０）。
【００４２】
次に、再生制御部２４２は、入力情報取得部２４１から操作位置情報が供給されると、制御情報記憶部２３１に記憶されている制御情報を参照して、操作位置に応じて早送り再生と巻戻し再生との何れの制御かを判定する（ステップＳ１５０）。
【００４３】
再生制御部２４２は、操作位置が右側領域３００ａ内である場合には（ステップＳ１５０：右側）、再生している動画データを早送り再生する（ステップＳ１６０）。一方、再生制御部２４２は、操作位置が左側の左側領域３００ｂ内である場合には（ステップＳ１５０：左側）、再生している動画データを巻戻し再生する（ステップＳ１６５）。
【００４４】
次に、再生制御部２４２は、早送り再生又は巻戻し再生している動画データが最終フレームに到達したか否かを判定する（ステップＳ１７０）。ここで、早送り再生の場合の最終フレームとは動画データの最後のフレームのことである。また、巻戻し再生の場合の最終フレームとは動画データの最初のフレームのことである。
【００４５】
再生制御部２４２は、早送り再生又は巻戻し再生している動画データが最終フレームに到達していない場合（ステップＳ１７０：Ｎｏ）、ステップＳ１９０の処理に進める。一方、再生制御部２４２は、早送り再生又は巻戻し再生している動画データが最終フレームに到達した場合（ステップＳ１７０：Ｙｅｓ）、当該フレームで再生を一時停止させてから（ステップＳ１８０）、ステップＳ１９０の処理に進める。
【００４６】
次に、再生制御部２４２は、入力情報取得部２４１から供給される操作位置情報に基づいて、タッチ操作が継続されているか否かを判定する（ステップＳ１９０）。再生制御部２４２は、操作位置情報が入力情報取得部２４１から供給されている場合、タッチ操作が継続されていると判定する（ステップＳ１９０：Ｙｅｓ）。この場合、再生制御部２４２は、ステップＳ１４０に処理を戻し、操作位置に応じて早送り再生又は巻戻し再生の処理を継続する。一方、再生制御部２４２は、操作位置情報が入力情報取得部２４１から供給されていない場合、タッチ操作が継続されていないと判定する（ステップＳ１９０：Ｎｏ）。この場合、再生制御部２４２は、早送り再生又は巻戻し再生の処理を終了して、通常再生に戻す（ステップＳ１１０）。
【００４７】
以上説明したように、本実施形態による端末装置２００は、再生された動画を表示する表示部２１１と、表示部２１１の表示領域を覆うように設けられ、当該表示領域に対する操作を受け付ける入力部２１２とが一体して構成されたタッチパネル２１０を備えた端末装置である。端末装置２００の再生制御部２４２は、表示領域内に表示される動画の再生領域３００を左右に２つに分割した一方の右側領域３００ａ（第１領域の一例）内の操作位置（第１の位置）へのタッチ操作を入力部２１２が受け付けたことに応じて、動画の早送り再生（動画の再生に関する第１の機能の一例）を制御する。また、再生制御部２４２は、他方の左側領域３００ｂ（第２領域の一例）内の操作位置（第２の位置）へのタッチ操作を入力部２１２が受け付けたことに応じて、動画の巻戻し再生（動画の再生に関する第２の機能の一例）を制御する。
【００４８】
このように、端末装置２００は、動画の再生領域３００を左右に２つに分割した右側の右側領域３００ａに対するタッチ操作に応じて動画の早送り再生を行い、左側の左側領域３００ｂに対するタッチ操作に応じて動画の巻戻し再生を行うため、ユーザが直観的な操作により動画の早送り及び巻戻しを容易に行えるようにすることができる。
【００４９】
なお、表示部２１１は、入力部２１２が右側領域３００ａ内の操作位置（第１の位置）及び左側領域３００ｂ内の操作位置（第２の位置）への操作を受け付ける際に、当該操作に関する情報を再生領域３００内に表示しない。そのため、端末装置２００は、ユーザの動画の視聴を妨げることない。
【００５０】
従って、本実施形態によれば、ユーザの動画の視聴を妨げることなく、直観的な操作による動画の早送り及び巻戻しを可能とすることができるため、快適な動画の視聴及び操作性を実現することができる。
【００５１】
＜第２の実施形態＞
次に、本発明の第２の実施形態について説明する。本実施形態による動画配信システム１及び端末装置２００の構成は第１の実施形態と同様であるので、本実施形態において特徴的な処理について説明する。
第１の実施形態では、動画の再生領域３００を左右に２つに分割した右側の右側領域３００ａが早送り再生の操作を受け付け、左側の左側領域３００ｂが巻戻し再生の操作を受け付ける例を説明した。本実施形態では、右側領域３００ａ内における操作位置及び左側領域３００ｂ内における操作位置に応じて、それぞれ早送り再生の速度及び巻戻し再生の速度を制御する例を説明する。
【００５２】
例えば、制御情報記憶部２３１は、操作位置情報と、操作位置に応じて制御される動画の再生に関する機能とに加えて、当該機能の適用度が関連付けられて記憶されている。再生制御部２４２は、入力情報取得部２４１から操作位置情報が供給されると、制御情報記憶部２３１に記憶されている制御情報を参照して、操作位置に応じて動画の再生に関する機能とその適用度を制御する。
【００５３】
ここで、動画の再生に関する機能の適用度とは、例えば、早送り再生又は巻戻し再生の再生速度である。例えば、再生制御部２４２は、操作位置に応じて、早送り再生又は巻戻し再生との何れかを制御するとともに、制御する際の再生速度を制御する。
【００５４】
（操作例）
図５を参照して、本実施形態による早送り及び巻戻しの操作の一例を説明する。
この図に示す例は、図３を参照して説明した第１の実施形態による早送り及び巻戻しの操作例と同様に、動画の再生領域３００内の右半分の右側領域３００ａが早送りＵＩとして機能し、再生領域３００内の左半分の左側領域３００ｂが巻戻しＵＩとして機能する例である。また、第１の実施形態と同様に、表示部２１１には動画の再生画面が表示されており、操作に関する情報は表示されていない。なお、図中、右側領域３００ａ及び左側領域３００ｂ内の矢印の記述と、「速い」及び「遅い」の記述とは、操作位置によって変化する早送り再生及び巻戻し再生の速度の変化方向を示しており、表示部２１１に表示される情報ではない。
【００５５】
この図に示す例では、右側領域３００ａ内における操作位置に応じて早送り再生の速度が変更され、左側領域３００ｂ内における操作位置に応じて巻戻し再生の速度が変更される。再生制御部２４２は、右側領域３００ａ内における操作位置が再生領域３００の右側端部に近いほど（境界３００ｃから遠いほど）、早送り再生の速度を速くするように制御する。一方、再生制御部２４２は、右側領域３００ａ内における操作位置が再生領域３００の右側端部から遠いほど（境界３００ｃに近いほど）、早送り再生の速度を遅くするように制御する。
【００５６】
また、再生制御部２４２は、左側領域３００ｂ内における操作位置が再生領域３００の左側端部に近いほど（境界３００ｃから遠いほど）、巻戻し再生の速度を速くするように制御する。一方、再生制御部２４２は、左側領域３００ｂ内における操作位置が再生領域３００の左側端部から遠いほど（境界３００ｃに近いほど）、巻戻し再生の速度を遅くするように制御する。
【００５７】
（動作例）
次に、本実施形態による動画の再生処理の動作を説明する。本実施形態による動画の再生処理は、図４に示すステップＳ１５０、Ｓ１６０、Ｓ１６５の処理において、操作位置に応じて早送り再生と巻戻し再生との何れかを制御するのに加えて、その再生速度も制御することで実現できる。
例えば、再生制御部２４２は、入力情報取得部２４１から操作位置情報が供給されると、制御情報記憶部２３１に記憶されている制御情報を参照して、操作位置に応じて早送り再生と巻戻し再生との何れの制御かを判定するとともに、操作位置に対応する速度を選択する（図４のステップＳ１５０に対応する処理）。そして、再生制御部２４２は、操作位置が右側の右側領域３００ａである場合には、再生している動画データを、選択した再生速度で早送り再生する（図４のステップＳ１６０に対応する処理）。一方、再生制御部２４２は、操作位置が左側の左側領域３００ｂである場合には、再生している動画データを、選択した再生速度で巻戻し再生する（図４のステップＳ１６５に対応する処理）。その他の処理は、図４に示す処理と同様であるため、その説明を省略する。
【００５８】
（操作の具体例）
図６は、早送り及び巻戻しの操作を連続的に行った場合の具体例を示す図である。この図は、タッチパネル２１０をユーザがタッチしたまま矢印Ｍ１の経路でなぞった（タッチしている操作位置が移動した）ことを表している。
まず、右側領域３００ａ内の符号Ｐ１の位置にタッチ操作がされたことにより、再生制御部２４２は、動画の早送り再生を開始する。操作位置が右側領域３００ａ内の符号Ｐ１の位置から符号Ｐ２の位置に向かって移動するに従って再生領域３００の右側端部に近づくため（境界３００ｃから遠くなるため）、再生制御部２４２は、早送り再生の速度を速くしていく。次に、操作位置が右側領域３００ａ内の符号Ｐ２の位置から左側領域３００ｂ内の符号Ｐ３の位置に向かって移動するに従って再生領域３００の右側端部から遠くなるため（境界３００ｃに近づくため）、再生制御部２４２は、早送り再生の速度を遅くしていき、操作位置が境界３００ｃを超えて左側領域３００ｂ内となったときに巻戻し再生に切り替える。続いて、操作位置が左側領域３００ｂ内の符号Ｐ３の位置から符号Ｐ４の位置に向かって移動するに従って再生領域３００の左側端部に近づくため（境界３００ｃから遠くなるため）、再生制御部２４２は、巻戻し再生の速度を速くしていく。
なお、操作位置が境界３００ｃになった場合には、再生制御部２４２は、動画データの再生（早送り再生又は巻戻し再生）を一時停止してもよい。
【００５９】
以上説明したように、本実施形態による端末装置２００において、再生制御部２４２は、操作位置（第１の位置）の右側領域３００ａ（第１領域の一例）内における位置及び操作位置（第２の位置）の左側領域３００ｂ（第２領域の一例）内における位置のそれぞれに応じて、動画の早送り再生の機能（第１の機能の一例）及び動画の巻戻し再生の機能（第２の機能の一例）のそれぞれの適用度を制御する。
【００６０】
例えば、再生制御部２４２は、右側領域３００ａ内における操作位置（第１の位置）が再生領域３００の分割した位置（境界３００ｃ）から遠いほど（右側端部に近いほど）、動画の早送り再生の機能（第１の機能の一例）の適用度を高める（例えば、再生速度を速くする）ように制御する。また、再生制御部２４２は、右側領域３００ａ内における操作位置（第１の位置）が再生領域３００の分割した位置（境界３００ｃ）に近いほど（右側端部から遠いほど）、動画の早送り再生の機能の適用度を低める（例えば、再生速度を遅くする）ように制御する。
【００６１】
また、再生制御部２４２は、左側領域３００ｂ内における操作位置（第２の位置）が再生領域３００の分割した位置（境界３００ｃ）から遠いほど（左側端部に近いほど）、動画の巻戻し再生の機能（第２の機能の一例）の適用度を高める（例えば、再生速度を速くする）ように制御する。また、再生制御部２４２は、左側領域３００ｂ内における操作位置（第２の位置）が再生領域３００の分割した位置（境界３００ｃ）に近いほど（左側端部から遠いほど）、動画の巻戻し再生の機能の適用度を低める（例えば、再生速度を遅くする）ように制御する。
【００６２】
このように、本実施形態による端末装置２００は、再生領域３００を左右に２つに分割した右側の右側領域３００ａ内における操作位置に応じて早送り再生の再生速度を制御し、左側の左側領域３００ｂの内における操作位置に応じて巻戻し再生の再生速度を制御するため、ユーザが直観的な操作により動画の早送り及び巻戻しの速度を容易に変更できるようにすることができる。よって、本実施形態によれば、ユーザの動画の視聴を妨げることなく、直観的な操作による動画の早送り及び巻戻しの速度で変更することができるため、ユーザが試聴したい動画の頭出しを容易に素早く行うことができる。従って、本実施形態によれば、快適な動画の視聴及び操作性を実現することができる。
【００６３】
＜第３の実施形態＞
次に、本発明の第３の実施形態について説明する。本実施形態による動画配信システム１及び端末装置２００の構成は第１の実施形態と同様であるので、本実施形態において特徴的な処理について説明する。
第１の実施形態では、再生領域３００を左右に２つに分割した右側の右側領域３００ａが早送り再生の操作を受け付け、左側の左側領域３００ｂが巻戻し再生の操作を受け付ける例を説明したが、分割する方向は左右に限られるものではなく任意の方向とすることができる。本実施形態では、再生領域３００を上下方向に２つに分割する例を説明する。
【００６４】
図７は、本実施形態による操作の一例を説明する説明図である。この図に示す操作例は、図３及び図５に示す操作例と同様に、表示部２１１には動画の再生画面が表示され、操作に関する情報は表示されない。図７では、再生領域３００が上下に２つに分割された領域のそれぞれが操作を受け付ける点が、図３及び図５に示す操作例と異なる。
【００６５】
以下、表示部２１１の表示領域内に表示される動画の再生領域３００を上下に２つに分割した上側（再生される動画の上下左右方向における上側）を上側領域３００ｅと称し、下側を下側領域３００ｆと称して説明する。また、再生領域３００を２つに分割した上側領域３００ｅと下側領域３００ｆとの境界を境界３００ｇと称して説明する。
【００６６】
再生制御部２４２は、上側領域３００ｅ内と下側領域３００ｆ内とのそれぞれに対するタッチ操作に応じて、それぞれ動画の再生に関する機能を制御する。例えば、上側領域３００ｅは、動画再生時の音を出力させる音出力オンＵＩとして機能し、下側領域３００ｆは、動画再生時の音の出力を停止させる音出力オフＵＩとして機能する。
【００６７】
また、再生制御部２４２は、上側領域３００ｅ内における操作位置、又は下側領域３００ｆ内における操作位置に応じて、それぞれ制御する機能の適用度を制御してもよい。例えば、再生制御部２４２は、上側領域３００ｅ内における操作位置に応じて、動画再生時の音を出力させる音の音量を、音の出力の適用度として制御してもよい。
【００６８】
具体的には、再生制御部２４２は、上側領域３００ｅ内における操作位置が再生領域３００の上側端部に近いほど（境界３００ｇから遠いほど）音量が大きくなるように制御する。一方、再生制御部２４２は、上側領域３００ｅ内における操作位置が再生領域３００の上側端部から遠いほど（境界３００ｇに近いほど）音量が小さくなるように制御する。なお、図中、上側領域３００ｅ内の矢印の記述と「音量大」及び「音量小」の記述とは、操作位置によって変化する音量の変化方向を示しており、表示部２１１に表示される情報ではない。
【００６９】
以上説明したように、本実施形態では、再生制御部２４２は、表示領域内に表示される動画の再生領域３００を２つに分割した一方の上側領域３００ｅ（第１領域の一例）内の操作位置（第１の位置の一例）へのタッチ操作を入力部２１２が受け付けたことに応じて、動画再生時の音を出力させる機能（第１の機能の一例）を制御する。また、再生制御部２４２は、他方の下側領域３００ｆ（第２領域の一例）内の操作位置（第２の位置の一例）へのタッチ操作を入力部２１２が受け付けたことに応じて、動画再生時の音の出力を停止させる機能（第２の機能の一例）を制御する。
これにより、本実施形態による端末装置２００は、ユーザが直観的な操作により容易に動画再生時の音のオン／オフを行えるようにすることができる。
【００７０】
また、再生制御部２４２は、上側領域３００ｅ内における操作位置が再生領域３００の分割した位置（例えば、境界３００ｇ）から遠いほど、再生時の音量を大きくする（第１の機能の適用度を高める例）ように制御する。また、再生制御部２４２は、上側領域３００ｅ内における操作位置が再生領域３００の分割した位置（例えば、境界３００ｇ）に近いほど、再生時の音量を小さくする（第１の機能の適用度を低める例）ように制御する。
これにより、本実施形態による端末装置２００は、ユーザが直観的な操作により動画再生時の音量の調整を容易に行えるようにすることができる。従って、本実施形態によれば、快適な動画の視聴及び操作性を実現することができる。
【００７１】
なお、本実施形態では、図７を参照して、分割した２つの領域のうち一方の領域のみ、当該領域内における操作位置に応じて機能の適用度（ここでは、音量）が制御される例を説明した。このように、分割した２つの領域のうち一方の領域のみ当該領域内における操作位置に応じて機能の適用度が制御されるようにしてもよい。
【００７２】
＜第４の実施形態＞
次に、本発明の第４の実施形態について説明する。本実施形態による動画配信システム１及び端末装置２００の構成は第１の実施形態と同様であるので、本実施形態において特徴的な処理について説明する。
第１の実施形態では、動画の再生領域３００を左右に２つに分割した右側の右側領域３００ａと左側の左側領域３００ｂとがそれぞれの操作を受け付ける例を説明したが、分割する領域は２つに限られるものではなく３つ以上の任意の領域としてもよい。本実施形態では、動画の再生領域３００を３つに分割した例を説明する。
【００７３】
図８は、本実施形態による操作の一例を説明する説明図である。この図に示す操作例は、図３及び図５に示す操作例と同様に、表示部２１１には動画の再生画面が表示され、操作に関する情報は表示されない。図８は、再生領域３００が３つの領域に分割され、右側領域３００ａと左側領域３００ｂとが、中央領域３００ｄを介して分割されている例を示している。即ち、この図に示す例では、右側領域３００ａ及び左側領域３００ｂにとって、中央領域３００ｄが図５に示す境界３００ｃに相当する。また、右側領域３００ａと左側領域３００ｂとのぞれぞれは、図５に示す例と同様に早送りＵＩと巻戻しＵＩとして機能する。例えば、右側領域３００ａ又は左側領域３００ｂへのタッチ操作の場合には、再生制御部２４２は、第２の実施形態と同様に制御する。
【００７４】
また、中央領域３００ｄは、動画再生時に出力される音の音量調整を受け付ける音量調整ＵＩとして機能する。例えば、再生制御部２４２は、中央領域３００ｄ内における操作位置が再生領域３００の上側端部に近いほど、動画再生時に出力される音の音量が大きくなるように制御する。一方、再生制御部２４２は、中央領域３００ｄ内における操作位置が再生領域３００の下側端部に近いほど、動画再生時に出力される音の音量が小さくなるように制御する。なお、図中、右側領域３００ａ及び左側領域３００ｂ内の矢印の記述と、「速い」及び「遅い」の記述とは、操作位置によって変化する早送り再生及び巻戻し再生の速度の変化方向を示しており、表示部２１１に表示される情報ではない。また、中央領域３００ｄ内の矢印の記述と「大」及び「小」の記述とは、操作位置によって変化する音量の変化方向を示しており、表示部２１１に表示される情報ではない。
【００７５】
以上説明したように、本実施形態では、動画の再生領域３００を分割した一方の右側領域３００ａ（第１領域の一例）と他方の左側領域３００ｂ（第２領域の一例）とが中央領域３００ｄ（第３領域の一例）を介して分割されている。そして、端末装置２００の再生制御部２４２は、中央領域３００ｄ内の操作位置（第３の位置）へのタッチ操作を入力部２１２が受け付けたことに応じて、動画の再生に関する音量調整機能（第３の機能の一例）を制御する。
【００７６】
このように、本実施形態による端末装置２００は、右側領域３００ａ及び左側領域３００ｂのそれぞれが早送りＵＩ及び巻戻しＵＩとして機能し、中央領域３００ｄが音量調整ＵＩとして機能する。これにより、端末装置２００は、ユーザが直観的な操作により動画の早送り及び巻戻しと動画再生時の音量の調整とを容易に行えるようにすることができる。従って、本実施形態によれば快適な動画の視聴及び操作性を実現することができる。
【００７７】
なお、再生制御部２４２は、中央領域３００ｄ内の位置への操作を入力部２１２が受け付けたことに応じて、動画再生時の音量の調整に代えて、動画の再生開始及び再生停止（又は一時停止）の機能等を制御してもよい。また、中央領域３００ｄは、操作を受け付けない領域としてもよい。
【００７８】
また、端末装置２００は、中央領域３００ｄをさらに上下に分割したそれぞれの領域内における操作を受け付けることにより、それぞれの動画の再生に関する機能を制御するようにしてもよい。つまり、動画の再生領域３００を分割した領域の数は２つ又は３つに限られるものではなく、４つ以上の任意の数とすることができる。また、各領域における分割方向は、左右方向であっても上下方向であってもよい。また、各領域間の分割した位置（境界）は、直線形状であっても曲線形状であってもよい。
【００７９】
以上、この発明の第１から第４の実施形態を図面を参照して詳述してきたが、具体的な構成はこの実施形態に限られるものではなく、この発明の要旨を逸脱しない範囲の設計等も含まれる。例えば、上述の第１から第４の実施形態において説明した各機能は、任意に組み合わせることができる。
【００８０】
なお、上記実施形態では、右側領域３００ａ、左側領域３００ｂ、中央領域３００ｄ、上側領域３００ｅ、及び下側領域３００ｆの各領域内の全ての領域において操作を受け付ける例を説明したが、各領域内の一部が操作を受け付けるようにしてもよい。
【００８１】
また、上記実施形態では、再生制御部２４２が再生領域３００を分割した領域に対するタッチ操作に応じて早送り再生、巻戻し再生、再生時の音の出力又は音量、等を制御する例を説明したが、制御する動画に関する機能はこれらに限られるものではない。例えば、再生制御部２４２は、動画再生時の画質（明るさ等）や、動画再生時に表示する文字情報（字幕やコメントのオン／オフや文字の大きさ）等を制御してもよい。
【００８２】
また、上記実施形態では、端末装置２００が動画配信サーバ１００から配信されるストリーミング動画を再生する例を説明したが、再生する動画は、ストリーミング動画に限られるものではなく、各種の動画ファイル等で提供される他の動画であってもよい。
また、端末装置２００は、動画を再生する機能を有する機器であればよく、ビデオカメラ、デジタルカメラ等であってもよい。
【００８３】
なお、図３における制御部２４０の一部又は全部は専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【００８４】
例えば、図３における制御部２４０の一部又は全部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００８５】
また、図３における制御部２４０の一部又は全部の機能を実現するためのプログラムは、動画配信サーバ１００から提供されてもよい。例えば、端末装置１００は、動画を再生する場合に、上記プログラムを動画配信サーバ１００からダウンロードしてインストールすることにより端末装置１００のコンピュータシステムに読み込ませ、実行することにより上述の各部の処理を行ってもよい。なお、図３における制御部２４０の一部又は全部の機能を実現するためのプログラムは、動画配信サーバ１００以外のサーバ装置（例えば、各種のアプリケーションを提供するサーバ装置）から提供されてもよい。
【００８６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００８７】
１  動画配信システム、５  ネットワーク、１００  動画配信サーバ、２００  端末装置、２１０  タッチパネル、２１１  表示部、２１２  入力部、２２０  通信部、２３０  記憶部、２３１  動画情報記憶部、２３２  データ記憶部、２４０  制御部、２４１  入力情報取得部、２４２  再生制御部、２４３  データ取得部、２４４  表示制御部
【図１】
2015220608.tif 000003
【図２】
2015220608.tif 000004
【図３】
2015220608.tif 000005
【図４】
2015220608.tif 000006
【図５】
2015220608.tif 000007
【図６】
2015220608.tif 000008
【図７】
2015220608.tif 000009
【図８】
2015220608.tif 000010
【図９】
2015220608.tif 000011